(57)【特許請求の範囲】
【請求項１】
放送時間帯及び放送チャネルを特定する録画予約データに基づいて、当該放送チャネルにて当該放送時間帯に放送されているテレビ番組を記憶媒体に録画する録画装置であって、
録画の対象となる試合を特定する試合特定情報、当該試合に出場する選手又はチームのうちの一を特定する出場者特定情報、検出期間を特定する検出期間特定情報、及び、当該試合の録画済みデータが残らないようにするか又は録画画質を低下させた録画済みデータが残るようにするかの削除方針を定める削除方針情報を含む事前設定データを記憶する第１の記憶部と、
前記録画予約データを記憶する第２の記憶部と、
コンピュータネットワークに接続されることにより、コンピュータネットワーク上の他装置との間で通信を行う通信装置と、
前記録画予約データに従ってテレビ番組を録画して録画済みデータを生成する録画部と、
前記録画部によって生成された番組の録画済みデータを記憶する第３の記憶部と、
前記事前設定データ中の検出期間特定情報が特定する検出期間において、前記通信装置を制御することにより、同事前設定データ中の試合特定情報が特定する試合に関する試合の勝敗情報を含む勝敗データを前記他装置から受信させる勝敗データ取得部と、
受信された前記勝敗データが示す敗者が前記事前設定データ中の出場者特定情報が特定する選手又はチームと一致している場合に、前記削除方針情報により示される削除方針に従って、前記録画予約データに基づく録画済みデータを残らないようにするか又は録画画質を低下させることで、当該録画済みデータによる前記第３の記憶部の占有を抑止する録画済みデータ占有抑止手段と
を備えたことを特徴とする録画装置。
【請求項２】
テレビチューナ、記憶装置、及び、コンピュータネットワークに接続されることによりコンピュータネットワーク上の他装置との間で通信を行う通信装置を有し、前記記憶装置に登録されている録画予約データに従ってテレビ番組を録画して録画済みデータを前記記憶装置に格納するコンピュータを、
録画の対象となる試合を特定する試合特定情報、当該試合に出場する選手又はチームの
うちの一を特定する出場者特定情報、検出期間を特定する検出期間特定情報、及び、当該試合の録画済みデータが残らないようにするか又は録画画質を低下させた録画済みデータが残るようにするかの削除方針を定める削除方針情報を含む事前設定データを前記記憶装置に記憶させる事前設定データ登録部、
前記事前設定データ中の検出期間特定情報が特定する検出期間において、前記通信装置を制御することにより、同事前設定データ中の試合特定情報が特定する試合に関する試合の勝敗情報を含む勝敗データを前記他装置から受信させる勝敗データ取得部、及び
受信された前記勝敗データが示す敗者が前記事前設定データ中の出場者特定情報が特定する選手又はチームと一致している場合に、前記削除方針情報により示される削除方針に従って、前記録画予約データに基づく録画済みデータを残らないようにするか又は録画画質を低下させることで、当該録画済みデータによる前記記憶装置の占有を抑止する録画済みデータ占有抑止部、
として機能させるための録画プログラム。
【請求項３】
テレビチューナ、記憶装置、及び、コンピュータネットワークに接続されることによりコンピュータネットワーク上の他装置との間で通信を行う通信装置を有するコンピュータによってテレビ番組を録画する録画方法であって、
前記コンピュータが、
放送時間帯及び放送チャネルを特定する録画予約データを前記記憶装置に記憶し、
録画の対象となる試合を特定する試合特定情報、当該試合に出場する選手又はチームのうちの一を特定する出場者特定情報、検出期間を特定する検出期間特定情報、及び、当該試合の録画済みデータが残らないようにするか又は録画画質を低下させた録画済みデータが残るようにするかの削除方針を定める削除方針情報を含む事前設定データを前記記憶装置に記憶し、
前記事前設定データ中の検出期間特定情報が特定する検出期間において、前記通信装置を制御することにより、前記事前設定データ中の試合特定情報が特定する試合に関する試合の勝敗情報を含む勝敗データを前記他装置から受信させ、
受信された前記勝敗データが示す敗者が前記事前設定データ中の出場者特定情報が特定する選手又はチームと一致している場合に、前記削除方針情報により示される削除方針に従って、前記録画予約データに基づく録画済みデータを残らないようにするか又は録画画質を低下させることで、当該録画済みデータによる前記記憶装置の占有を抑止する、
ことを特徴とする録画方法。
【発明の詳細な説明】
【技術分野】
【０００１】
本案は、予め設定された録画予約の設定内容に応じて、テレビジョン放送された番組の内容を記録媒体に録画する予約機能付きの録画装置，コンピュータをかかる録画装置として機能させる録画プログラム，コンピュータを用いてかかる予約機能に基づく録画を実現させる録画方法に、関する。
【背景技術】
【０００２】
近年、ビデオ装置の記録方式の主流が、磁気テープへ記録する方式から、ハードディスクや次世代ＤＶＤ（ディジタル・ヴァーサタイル・ディスク）等の大容量光ディスクへ記録する方式に切り替わりつつある。その結果、一度に複数の番組に対する録画予約をすることが可能となり、かつ、記録媒体を交換することなく、これら複数の番組を順次録画して、録り溜めることが可能となってきている（特許文献１参照）。
【０００３】
ところで、国内外で催行されるスポーツの試合は、それが人気スポーツであって人気選手又は人気チームが出場している場合には、視聴率が高くなることが見込めるので、試合時間をゴールデンタイム（大凡、午後７時頃から９時頃まで）に合わせて、テレビ番組として生中継放送されることが多い。もっとも、フィールド競技以外の屋外競技の場合には夜間に試合を催行することが難しいので、たとえ人気スポーツであったとしても、ゴールデンタイムに放送するならば、録画中継番組とせざるを得ない。同様に、外国で試合が開催される場合には、必ずしも、テレビ放送がなされる国におけるゴールデンタイムに合わせて試合時間を設定できるわけではないので、ゴールデンタイムに放送するならば、録画中継番組とせざるを得ない。他方、あまり人気がないスポーツの試合は、視聴率が高くなるとは期待できないので、元々視聴者の少ない時間帯（例えば、深夜帯）に録画中継放送されることが多い。
【０００４】
何れの中継方式の番組であっても、それが放送される時間に都合が付かない視聴者は、録画装置に当該番組の録画予約を設定して、放送終了後、自分の都合が良い時に、録画された中継番組を再生することで、試合を観戦することになる。従って、かかる視聴者が実際に中継番組を再生させる際には、試合の結果はテレビのニュース番組（スポーツニュースを含む）やネットワーク上のサイトにて公表されていることが多いので、当該視聴者がその試合結果を知ってしまう蓋然性は高い。特に、録画中継番組の場合には、番組の放送が開始されるよりも前に試合結果が確定しているので、当該視聴者が試合結果を知ってしまう蓋然性は更に高い。
【０００５】
そして、これらの試合に出ている選手やチームのファンは、自分が贔屓にしている選手やチームがこれらの試合で敗北したと知ってしまうと、とたんに、録画された番組を視聴する意欲が減退してしまう傾向にある。さらに、たとえ試合結果を知らなくても、自己が贔屓にしている選手やチームが負ける試合は見たくないと思うファンもいる。他方、自分が贔屓にしている選手やチームが敗北したことを知ってしまった場合でも、一つ一つのプレーを鑑賞する為や敗因を探求する為に敢えて視聴しようとする熱心なファンもいるが、かかる熱心なファンであっても、当該試合を最高画質で録画して保存しようとまでは、思わないことが多い。
【特許文献１】特開2007-201573号公報
【特許文献２】特開2006-74459号公報
【発明の開示】
【発明が解決しようとする課題】
【０００６】
しかしながら、従来技術の録画装置によると、視聴者が一旦録画予約をしたならば、その後に何れかの者が積極的に装置を操作しなければ、解除されることがない。従って、試合の中継番組が予約録画された場合には、試合の結果に関係なく、当該中継番組は録画されるので、当該視聴者が贔屓にしている選手又はチームが敗北した場合には、当該視聴者が再生する可能性が下がってしまっているにも拘わらず、再生される可能性のない無駄な録画データによって記憶媒体が占有されてしまうという問題が生じていた。上述したように、当該視聴者が、敢えて自己の贔屓選手又はチームの負け試合でも視聴する熱心なファンであったとしても、最高画質で保存する意欲まで無い場合には、最高画質で録画するのは、やはり無駄に記憶装置を占有することになってしまう。
【０００７】
そこで、本案は、上述した従来技術の問題点を解決し、試合の中継番組の録画予約に際して、視聴者が、当該試合を特定するデータ及び当該試合において当該視聴者が勝利を望む選手又はチームとを特定するデータを設定しておくことで、当該試合において当該選手又はチームが敗北した場合に、記憶媒体を無駄に占有してしまう問題を解決することを、課題とする。
【課題を解決するための手段】
【０００８】
本案による録画装置によると、放送時間帯及び放送チャネルを特定する録画予約データが記憶装置に記憶される他、録画の対象となる試合を特定する試合特定情報，当該試合に出場する選手又はチームのうちの一を特定する出場者特定情報，及び検出期間を特定する検出期間特定情報からなる事前設定データが記憶装置に記憶される。そして、事前設定データ中の検出期間特定情報が特定する検出期間に至ると、通信装置により、設定データ中の試合特定情報が特定する試合に関する試合の勝敗情報を含む勝敗データが前記他装置から受信され、受信された前記勝敗データが示す敗者が前記事前設定データ中の出場者特定情報が特定する選手又はチームと一致している場合に、前記録画予約データに基づく録画済みデータによる前記記憶装置の占有が抑止される。その結果、中継番組がテレビ放送される試合に、操作者が贔屓にしている選手又はチームが出場する場合、当該操作者が、当該番組についての録画予約データとともに、事前設定データを登録しておけば、当該試合において操作者の贔屓選手又はチームが敗北した場合には、かかる録画予約データに基づく録画済みデータが記憶装置を占有してしまうことを、抑止することが可能となる。
【０００９】
ここに、録画済みデータによる記憶装置の占有抑止とは、録画済みデータが記憶装置に全く残存しないようにすることと、録画済みデータのサイズを小さくすることとを、含意している。後者については、録画済みデータにおけるビットレートを下げることを、含んでいる。具体的には、例えば、当該試合の中継番組が放送前であるならば、録画予約データを削除することにより、録画済みデータが記憶装置に全く残存しないようにすることができ、録画予約データにおける録画品質の指定を低ビットレートに書き換えることにより、録画済みデータのサイズを小さくすることができる。また、当該試合の中継番組が放送終了後であるならば、録画済みデータを記憶装置から削除することにより、録画済みデータが記憶装置に全く残存しないようにすることができ、録画済みデータのビットレートを下げてデータ変換することにより、録画済みデータのサイズを小さくすることができる。また、当該試合の中継番組の放送途中であるならば、録画を中止するとともに記憶装置内の録画済みデータを削除することにより、録画済みデータが記憶装置に全く残存しないようにすることができ、録画中のビットレートを下げることにより、録画済みデータのサイズを小さくすることができる。
【００１０】
また、事前設定データ中の試合特定情報は、勝敗データの形式に適合していればどのような手法で試合を特定するものであっても良い。例えば、勝敗データがスポーツジャンルと勝者又は／及び敗者とを特定するだけのものであれば、試合特定情報も、スポーツジャンルと出場選手又はチームとを特定する情報であれば良い（この場合、出場者特定情報は
、試合特定情報の一部を兼ねることになる）。また、勝敗データが試合時間をも特定するものであれば、試合特定情報も試合時間を特定するものとすることができる。更に、勝敗データが試合毎に所定のコード体系に従って一意のコードを付して特定しているのであれば、試合特定情報も、かかるコード体系に従って一のコードを特定するものとすることができる。
【００１１】
また、第１の記憶部乃至第３の記憶部は、物理的に別個の記憶装置として構成されても良いが、物理的に同一の記憶装置上の互いに論理領域が異なる二つ記憶領域として構成されても良い。
【発明の効果】
【００１２】
以上のように構成された録画装置によると、試合の中継番組の録画予約に際して、視聴者が、当該試合を特定するデータ及び当該試合において当該視聴者が勝利を望む選手又はチームとを特定するデータを設定しておくことで、当該試合において当該選手又はチームが敗北した場合に、コンピュータネットワークを通じて取得した勝敗データを取得することにより当該事実を認識し、上記中継番組の録画済みデータが記憶装置を無駄に占有することを抑止することができる。
【発明を実施するための最良の形態】
【００１３】
以下、録画装置の実施の形態を説明する。以下に説明する録画装置は、テレビ放送受信機能，録画機能及びインターネット接続機能を備えた一体型テレビジョン装置ないし所謂テレビパソコンである。なお、当該実施形態による録画装置と等価のシステム構成は、コンピュータネットワーク接続機能を備えたパーソナルコンピュータに、ＴＶチューナーを接続して各種ソフトウェアをインストールすることによっても構築可能であるし、ディスプレイ及びスピーカとそれ以外の構成とが夫々別筐体に収容されたシステム（ビデオレコーダーとＴＶモニタとから構成されるシステム）としても構築可能である。しかし、これらの相違は単なる商品構成の相違に他ならないので、本案は、これらのうちのいずれにも限定されない。
（録画装置の構成）
図１は、本実施形態による録画装置１のハードウェア構成を、この録画装置１に対してインターネット等のネットワークＮを通じて通信可能な他装置であるサーバ装置（スポーツ情報サービスサーバ）２とともに示すブロック図である。
【００１４】
この図１に示されるように、本実施形態による録画装置１は、ＣＰＵ１０と、バスＢを通じて当該ＣＰＵ１０に夫々接続されているＴＶ受信装置１１，操作受信部１３，ＲＡＭ１４，ＤＶＤドライブ１５，ＲＯＭ１６，ネットワークデバイス１７及びディスプレイ２０とを、同一筐体内に内蔵することによって構成されている。また、当該録画装置１には、夫々別筐体を有するキーボード１２，マウス２５及びリモコン２６が、付属品として備えられている。
【００１５】
ＣＰＵ１０は、ハードディスク１８又はＲＯＭ１６にインストールされている各種プログラムを実行することによって当該録画装置１全体を制御する中央処理装置である。
【００１６】
ＴＶ受信装置１１は、地上波用若しくは衛星用のアンテナ（若しくは、ケーブルテレビのケーブル）に接続された検波器であり、アンテナ又はケーブルを通じて受信した放送信号によって搬送されているビデオデータ及びＥＰＧ（Electric Program Guide：電子番組表）データを分離してＣＰＵ１０に入力する装置である。なお、ＥＰＧデータとは、各チャネルにて放送される番組毎に、その放送チャネル，放送時間帯（開始日時及び番組長）及び放送内容（番組詳細）を含む番組情報を定義してなる電子番組表データである。
【００１７】
ネットワークデバイス１７は、図示せぬルータやターミナルアダプタやモデムを通じてインターネットＮに接続され、インターネットＮを通じての通信のためのデータフォーマット変換及びパケットの送受信を行う通信装置である。このネットワークデバイス１７を通じて、インターネットＮ上で公開されているＥＰＧデータを取得することができるとともに、スポーツ情報サービスサーバ２から勝敗データをダウンロードすることが可能となる。
【００１８】
ＲＡＭ１４は、ＣＰＵ１０が上記制御のための処理を実行する際の作業領域が展開される一時記憶装置である。
【００１９】
ＤＶＤドライブ１５は、ＣＰＵ１０の制御の下、ＴＶ受信装置１１によって分離されたビデオデータをＤＶＤ（Digital Versatile Disk）メディアに録画したり、ＤＶＤからビデオデータを読み出すディスクドライブ装置である。
【００２０】
ディスプレイ２０は、ＣＰＵ１０の制御の下、ＴＶ受信装置１１にて分離されたビデオデータ又はＤＶＤドライブ１５にてＤＶＤメディアから読み出されたビデオデータに基づく動画を表示したり、ＣＰＵ１０による処理結果を表示する表示装置である。
【００２１】
操作受信部１３は、例えば赤外線受光部又はブルートゥース（Bluetooth SIG , Inc.の商標）受信部を備えたインタフェースであり、キーボード１２，マウス２５，及びリモコン２６から夫々発信された操作信号を受信して、フォーマット変換した後にＣＰＵ１０に入力する。
【００２２】
ハードディスク１８は、各種プログラム及び各種データが格納されている記憶装置（記憶媒体）である。このハードディスク１８に予めインストールされ、ＣＰＵ１０によって読み出されて実行される各種プログラムには、インターネット接続機能を有するパーソナルコンピュータとして通常備えているプログラム（オペレーティング・システム，ブラウザプログラム，メーラプログラム，各回路１１〜２０，２５，２６を動作させるためのドライバプログラム，等）の他、テレビ番組の視聴，録画，再生を行うために必要な録画プログラムが、含まれている（かかる録画プログラムを実行しているＣＰＵ１０が、録画部に相当する。）。更に、録画プログラムには、視聴者が特定の試合の中継番組を録画予約する際に、当該視聴者が特定した選手又はチームが当該試合において敗北したことを自動検出して、当該中継試合の予約録画の中止，録画済みデータの削除若しくは録画画質（ビットレート）の低化を行う負試合録画制御プログラムが含まれている。また、ハードディスク１８内に格納されている各種データには、録画プログラムを実行するＣＰＵ１０によって生成又は読み書きされる録画済みデータ，設定時間帯に設定チャネルでの番組録画を行うことを指定する録画予約データ（図２），録画予約の中止，録画済みデータの削除又は録画画質（ビットレート）の変更を行う条件を定義する事前設定データ（図３）が、含まれている。
【００２３】
図２は、上述した録画予約データのデータ構造を、示す表である。この図２に示されるように、録画予約データには、録画予約された各番組に夫々対応したレコードが、含まれている。そして、各レコードには、夫々、一意の通し番号である「予約番号」とともに、その番組情報（時間帯，チャネル）及び録画画質が、登録される。ＣＰＵ１０は、上述した録画プログラムに基づき、この録画予約データによって指定された番組を、ハードディスク１８内に、録画済みデータとして録画する。ハードディスク１８における当該録画予約データを格納している領域が、第２の記憶部に相当する。
【００２４】
図３は、上述した事前設定データのデータ構造を、示す表である。事前設定データは、視聴者が贔屓する選手又はチームが敗北したならば予約録画を中止するか録画済みデータ
を削除するか録画画質を低下させるべき試合について、その試合及び視聴者の贔屓選手又はチームを特定する情報を定義するデータである。
【００２５】
そのため、この事前設定データは、図３に示されるように、一意のＩＤとなる文字列である「管理No.（ナンバー）」とともに、対象試合のジャンル（種類）を特定する「検出
スポーツジャンル」，当該視聴者が贔屓する選手名又はチーム名，即ち、その敗北が検出されるべき選手名又はチーム名を特定する「検出チーム／選手」，予約録画の中止，録画済みデータの削除若しくは録画画質を低下させる対象となる中継番組を特定する「検出対象番組」，当該試合の終了後、上述のスポーツ情報サービスサーバ２から配信される当該試合の結果（負け情報）を検出する期間を特定する「検出期間」，当該試合の中継番組の予約録画を中止して録画済みデータを削除する（完全削除：１）か、録画画質（ビットレート）を低下させる（節約録画：２）かを特定する「削除方針」の各情報から、構成されている。なお、「検出対象番組」の値は、予約録画の中止又は録画画質（ビットレート）の低下させる対象となる番組の放送時間帯及びチャネルを特定する情報であっても良いし、録画予約データ中の予約番号であっても良い。これらの情報は、視聴者がＥＰＧデータから番組を選択することによって特定することも可能である。
【００２６】
ハードディスク１８における当該事前設定データを格納している領域が、第１の記憶部に相当する。また、ハードディスク１８における録画済みデータを格納している領域が、第３の記憶部に相当する。
【００２７】
上述した負試合録画制御プログラムを読み込んだＣＰＵ１０が実行する処理の詳細については、図５及び図６を参照して、後で詳細に説明する。
（スポーツ情報サービスサーバの構成）
図１に戻り、スポーツ情報サービスサーバ２は、一般的な構成を有するサーバ装置であり、国内外の試合の結果情報を配信するサイト（スポーツ情報サービスサイト）を実現するものである。即ち、当該スポーツ情報サービスサーバ２は、ＣＰＵ２１，ディスク装置２２及びネットワークデバイス２４を備え、ＣＰＵ２１は、逐次収集した国内外のスポーツの試合の結果を、ディスク装置２２内に構築した勝敗データベース２３に蓄積している。
【００２８】
図４は、この勝敗データベース２３のデータ構造を示す表である。この図４に示されるように、勝敗データベース２３には、国内外で開催された各種スポーツの個々の試合毎に、その試合の結果が記録されたレコードが、含まれている。そして、各レコードには、夫々、一意のＩＤとなる文字列である「管理No.（ナンバー）」とともに、対象試合のジャ
ンル（種類）を特定する「検出スポーツジャンル」，対象試合の試合名や冠名を特定する「大会名」，当該試合に勝利した選手又はチームの名を記録した「勝者名」，当該試合に敗北した選手又はチーム（多数の選手又はチームが優勝を争う競技においては２位以下の選手又はチーム）を特定する「敗者名」が、登録されている。なお、大会名は任意設定項目であり、例えば、プロ野球公式戦のようにシーズン中にリーグ戦しか行われない場合には登録されないが、サッカーのようにシーズン中にリーグ戦の他に各種カップ戦が並行開催される場合には登録される。
【００２９】
また、このスポーツ情報サービスサーバ２は、ディスク装置２２にインストールされているＷＷＷサーバプログラム及び幾つかのＣＧＩプログラムを実行することにより、ネットワークデバイス２４を通じて何れかの端末からスポーツ情報サービスサイト宛のメッセージを受信すると、当該メッセージに含まれているパラメータ（上述した事前設定データの各レコードにおける「検出スポーツジャンル」及び「検出チーム／選手」の各情報）を検索条件として勝敗データベース２３を検索し、メッセージ中の「検出スポーツジャンル」の値と「スポーツジャンル」の値が一致し且つメッセージ中の「検出チーム／選手」の
値と「勝者名」又は「敗者名」の値が一致するレコードを抽出して、勝敗データとして、メッセージ送信元端末へ応答する。
（録画プログラムによる処理）
次に、以上のように構成される録画装置１において、録画プログラムに含まれる負試合録画制御プログラムを読み込んだＣＰＵ１０が、以上のように構成されるスポーツ情報サービスサーバ２と協働して実行する処理を、図５乃至図８のフローチャートに基づいて説明する。
【００３０】
図５のフローチャートは、キーボード１２，マウス２５又はリモコン２６を通じて、視聴者である操作者が、録画プログラムの起動コマンドを入力することによってスタートする。そして、スタート後最初のＳ００１では、ＣＰＵ１０は、事前設定データを登録するための処理を実行する。即ち、ＣＰＵ１０は、ディスプレイ２０上に、図３に示す事前設定データに含まれる各情報を入力させるための複数のテキストボックス及び登録ボタンを備えた入力画面を表示して、操作者がキーボード１２，マウス２５又はリモコン２６を用いて各テキストボックスに文字列を入力した状態で登録ボタンを操作すると、各テキストボックスに入力されている文字列を、各情報の値として受け付ける。そして、受け付けた各情報に基づいて事前設定データを作成して、これをハードディスク１８に登録する（事前設定データ登録部に相当）。これとともに、ＣＰＵ１０は、事前設定データ中の検出対象番組の情報に基づいて、録画予約データの登録を行う。但し、この録画予約データの登録は、通常の録画予約のプロセスに従ってなされても良い。
【００３１】
次のＳ００２では、ＣＰＵ１０は、現在日時が、Ｓ００１にて登録した事前設定データにおける検出期間前であるか、検出期間中であるか、検出期間後であるかをチェックする。そして、検出期間後であると判断した場合には、事前設定データの設定ミスがあったことに他ならないので、ＣＰＵ１０は、そのまま当該処理を終了する。一方、検出期間前であると判断した場合には、Ｓ００２のチェックを繰り返す。これに対して、検出期間内であると判断した場合には、ＣＰＵ１０は、処理をＳ００３へ進める。
【００３２】
Ｓ００３では、ＣＰＵ１０は、スポーツ情報サービスサイト宛に、Ｓ００１にて登録した事前設定データ中の「検出スポーツジャンル」の値及び「検出チーム／選手」の値をパラメータとした勝敗データの要求メッセージを送信する。この要求メッセージを受信したスポーツ情報サービスサーバ２は、上述したようにして、「検出スポーツジャンル」の値及び「検出チーム／選手」の値を検索条件として勝敗データベース２３を検索する。なお、対象試合は、プロ野球のように通常一日一回しか試合がないジャンルであれば、検出期間があまり長くない限り、その試合のジャンルとその試合に出場する選手名又はチーム名に基づいて特定することはできる。しかし、プロ野球におけるダブルヘッダーのように一日複数回試合が行われる場合に、試合毎に検出を行おうとするならば、勝敗データベース２３及び事前設定データに試合開催時刻の情報を追加するとともに、要求メッセージ中に試合開催時刻の情報を追加することが望ましい。そして、スポーツ情報サービスサーバ２は、該当するデータを勝敗データベース２３から抽出することができると、抽出したデータを勝敗データとして、要求メッセージ送信元の録画装置１へ応答する。録画装置１のＣＰＵ１０は、このようにしてスポーツ情報サービスサーバ２から応答（ダウンロード）された勝敗データを、受信する（勝敗データ取得部に相当）。
【００３３】
次のＳ００４では、ＣＰＵ１０は、スポーツ情報サービスサーバ２から受信した勝敗データに基づいて、事前設定データ中の「検出チーム／選手」の値が示す選手又はチームが負けたか否かを判定する。そして、当該選手又はチームが負けたと認識できない場合（当該選手又はチームの名が「勝者名」の値と一致している場合，若しくは、当該選手又はチームの名が「敗者名」の値と一致していない場合）には、ＣＰＵ１０は、録画予約する必要がなくなったので、このまま当該処理を終了する。これに対して、事前設定データ中の
「検出チーム／選手」の値が示す選手又はチームが負けたと認識した場合（当該選手又はチームの名が「勝者名」の値と一致している場合）には、ＣＰＵ１０は、処理をＳ００５へ進める。
【００３４】
なお、上述したＳ００３及びＳ００４の処理によると、録画装置１のＣＰＵ１０が事前設定データ中の「検出スポーツジャンル」の値及び「検出チーム／選手」の値をパラメータとした勝敗データの要求メッセージをスポーツ情報サービスサイト宛に送信し、これを受信したスポーツ情報サービスサーバ２が、該当する勝敗データを勝敗データベース２３から抽出して応答し、録画装置１のＣＰＵ１０が、応答された勝敗データに基づいて対象選手又はチームが負けたかどうかを判定することになるが、録画装置１のＣＰＵ１０は、Ｓ００３において、処理当日の勝敗データの全ての勝敗データの要求メッセージをスポーツ情報サービスサイト宛に送信し、これに応じてスポーツ情報サービスサーバ２から応答された勝敗データを受信し、Ｓ００４において、受信した勝敗データから、事前設定データ中の「検出スポーツジャンル」の値及び「検出チーム／選手」の値に合致した勝敗データを抽出し、抽出した勝敗データに基づいて対象選手又はチームが負けたかどうかを判定しても良い。
【００３５】
Ｓ００５では、ＣＰＵ１０は、事前設定データ中の「検出対象番組」の値に該当する番組が、既に録画されて、ハードディスク１８内にその録画済みデータが含まれているかどうかを、チェックする。例えば、当該番組が生中継番組であれば、当該ステップにおいて、その録画済みデータが含まれていると判断されて、処理がＳ００８へ進められる。
【００３６】
Ｓ００８では、ＣＰＵ１０は、事前設定データ中の「削除方針」の値が完全削除（１）であるか節約録画（２）であるかをチェックし、完全削除（１）であるならば、Ｓ００９において、当該録画済みデータを削除して、当該負試合録画制御プログラムに依る処理を終了する。これに対して、節約録画（２）であるならば、Ｓ０１０において、当該録画済みデータを、低ビットレートでトランスコード（圧縮）してから、元の録画済みデータを削除した後に、当該負試合録画制御プログラムに依る処理を終了する。
【００３７】
これに対して、録画済みデータが含まれていないとＳ００５にて判断した場合には、ＣＰＵ１０は、処理をＳ００６へ進め、事前設定データ中の「検出対象番組」の値に該当する番組が、録画プログラムによって現在録画中かどうかを、チェックする。例えば、現在我国で放送されているゴルフ大会の中継番組の多くは、各パーティーのゲーム映像を細かく区切って収録し、それを編集してから放送するために、中継番組放送時間中に、実際には試合が既に終了していることがありえる。また、不慮の事故映像をカットするために、実際の試合の収録から一定時間シフトさせて生放送と称して放送する例もある。当該ステップは、かかる放送形態に対応した処理である。そして、当該番組が現在録画中であると判断した場合には、ＣＰＵ１０は、処理をＳ０１１へ進める。
【００３８】
Ｓ０１１では、ＣＰＵ１０は、事前設定データ中の「削除方針」の値が完全削除（１）であるか節約録画（２）であるかをチェックし、完全削除（１）であるならば、Ｓ０１２において、録画プログラムに割り込んで録画を停止させるとともに、それまでの録画済みデータを削除した後に、当該負試合録画制御プログラムに依る処理を終了する。これに対して、節約録画（２）であるならば、Ｓ０１３において、当該録画済みデータを、低ビットレートでトランスコード（圧縮）してから、元の録画済みデータを削除した後に、当該負試合録画制御プログラムに依る処理を終了する。
【００３９】
これに対して、当該番組を現在録画中でないと判断した場合には、ＣＰＵ１０は、処理をＳ００７へ進め、事前設定データ中の「検出対象番組」の値に該当する番組が、何れかの録画予約データによって録画予約されている番組かどうかを、チェックする。即ち、録
画中継番組であると、試合終了後に編集して放送するために、テレビ放送前に、試合結果が検出されてしまうことがありえる。当該ステップは、かかる事態に対応した処理である。そして、当該番組が録画予約されていると判断した場合には、ＣＰＵ１０は、処理をＳ０１４へ進める。
【００４０】
Ｓ０１４では、ＣＰＵ１０は、事前設定データ中の「削除方針」の値が完全削除（１）であるか節約録画（２）であるかをチェックし、完全削除（１）であるならば、Ｓ０１５において、当該番組の録画予約データを削除してから、当該負試合録画制御プログラムに依る処理を終了する。これに対して、節約録画（２）であるならば、Ｓ０１６において、労咳番組の録画予約データ中の「録画画質」の値を、低ビットレートに下げて設定し直した後に、当該負試合録画制御プログラムに依る処理を終了する。
【００４１】
これに対して、当該番組を録画予約していないと判断した場合には、ＣＰＵ１０は、事前設定データの設定ミス等であるとして、当該負試合録画制御プログラムに依る処理を終了する。
【００４２】
以上に説明したＳ００５乃至Ｓ０１６の処理が、録画予約データに基づく録画済みデータによるハードディスク１８の占有を抑止する録画済みデータ占有抑止手段に相当する。（実施形態による動作）
以上のように構成された本実施形態によると、視聴者である操作者が贔屓にしている選手又はチームが出場する試合が開催されてその中継番組が放送される予定である場合、当該操作者は、録画装置１を操作することによって録画プログラムを起動して、当該中継番組を録画予約する。これによって、ハードディスク１８内に録画予約データが生成される。これととともに、操作者は、録画装置１を操作することによって負試合録画制御プログラムを起動して、事前設定データの設定を行う（Ｓ００１）。この際、当該試合の実際の試合終了予定時刻から一定時間を当該事前設定データの「検出期間」に、贔屓にしている選手又はチームの名を「検出チーム／選手」に、当該試合が属するスポーツの種類を「検出スポーツジャンル」に、当該試合において当該贔屓選手又はチームが負けたならばその中継番組を見ないというのであれば「削除方針」に“完全削除（１）”を、当該試合において当該贔屓選手又はチームが負けてもその中継番組を見る可能性があるならば「削除方針」に“節約録画（２）”を、夫々設定する。なお、Ｓ００１の処理が録画予約データの登録と連動している場合には、上述した録画予約データと事前設定データとの登録は一度になされる。
【００４３】
以上のようにして事前設定処理がなされた後「検出時間」に入ると、録画装置１のＣＰＵ１０は、スポーツ情報サービスサーバ２から勝敗データをダウンロードする（Ｓ００３）。この勝敗データには、試合の敗者名（選手名／チーム名）を特定するメタデータが含まれているので、録画装置１のＣＰＵ１０は、明確に、試合の結果を認識することができる。そして、事前設定データに含まれる「検出チーム／選手」の値が示すチーム又は選手が当該試合に敗北していると認識した場合には（Ｓ００４：ＹＥＳ）、その時点において当該中継番組が放送前であるか放送中であるか放送終了かに依り、事前設定データ中の「削除方針」が完全削除（１）であるならば録画済みデータがハードディスク１８に残らないようにし（Ｓ００９，Ｓ０１２，Ｓ０１５）、「削除方針」が節約録画（２）であるならばビットレートを下げた小さな録画済みデータがハードディスク１８に残るようにする（Ｓ０１０，Ｓ０１３，Ｓ０１６）。
【００４４】
その結果、視聴者が自己の贔屓選手又はチームの敗北に落胆して見る意欲が無くなってしまったか、高画質で保存する意欲が無くなってしまった試合の中継番組の録画済みデータにより、ハードディスク１８の資源が無駄に占有されてしまうことを抑止することができる。
【図面の簡単な説明】
【００４５】
【図１】録画装置及びスポーツ情報サービスサーバの概略構成を示すブロック図
【図２】録画予約データのデータ構造を示す表
【図３】事前設定データのデータ構造を示す表
【図４】勝敗データベースのデータ構造を示す表
【図５】負試合録画制御プログラムに従った処理を示すフローチャート
【図６】負試合録画制御プログラムに従った処理を示すフローチャート
【図７】負試合録画制御プログラムに従った処理を示すフローチャート
【図８】負試合録画制御プログラムに従った処理を示すフローチャート
【符号の説明】
【００４６】
１    録画装置
２    スポーツ情報サービスサーバ
１０    ＣＰＵ
１１    ＴＶ受信装置
１７    ネットワークデバイス
１８    ハードディスク
２０    ディスプレイ
２３    勝敗データベース
【図１】
0005024062.tif 000002
【図２】
0005024062.tif 000003
【図３】
0005024062.tif 000004
【図４】
0005024062.tif 000005
【図５】
0005024062.tif 000006
【図６】
0005024062.tif 000007
【図７】
0005024062.tif 000008
【図８】
0005024062.tif 000009